(57)【要約】【課題】受容皿に受容されたパチンコ球によって生じるブリッジ配列を確実に解消する。【解決手段】下皿２３に設けられた開口２８を遮蔽する位置と、開口２８を露呈する位置との間で移動するスライド蓋を設ける。このスライド蓋は、排出操作ボタン、蓋部４１を備えている。蓋部４１は略コ字状から形成され、第１遮蔽板４５が下皿２３の底板５５の上部に配置される。この第１遮蔽板４５の先端面は、パチンコ球５０の半径以上の高さから、また、パチンコ球５０の半径以上の幅を有している。排出操作ボタンを操作することによってスライド蓋がスライドする際に、第１遮蔽板４５の先端に設けられた押圧面４５ａがパチンコ球５０に当接した後、当接されたパチンコ球５０を押圧する。これにより、下皿２３に受容されたパチンコ球５０の配列関係を変化させることができる。【選択図】図８
2007143714.tif 000002
【特許請求の範囲】
【請求項１】
受容されたパチンコ球を排出する排出口が形成された受容皿と、前記排出口を塞ぐ位置と、前記排出口を露呈する位置との間で移動する蓋部材とを備え、前記蓋部材が前記排出口を露呈する位置にある場合に、受容されたパチンコ球が排出される遊技機において、
前記蓋部材は、前記排出口を露呈する位置への移動時に、前記受容皿に受容されたパチンコ球を動かす球崩し部を備えており、前記球崩し部は、パチンコ球１個の半径以上の厚みを有していることを特徴とする遊技機。
【請求項２】
前記蓋部材は、前記受容皿の底面の上方に配置され、
前記球崩し部は、前記蓋部材が前記排出口を露呈する位置へと移動する際の移動方向の先端面からなることを特徴とする請求項１記載の遊技機。
【請求項３】
前記先端面の上端部には、前記移動方向に向けて下り傾斜するテーパ面が形成されていることを特徴とする請求項２記載の遊技機。
【請求項４】
前記蓋部材の上面には、前記受容皿に受容された遊技球を通過させる溝部が前記蓋部材の移動方向に沿って設けられ、前記溝部は、パチンコ球１個よりも広く、パチンコ球２個よりも狭い幅を有していることを特徴とする請求項２又は３記載の遊技機。
【請求項５】
前記先端面は、前記蓋部材の幅方向の中心に向けて凹んだ湾曲面からなることを特徴とする請求項４記載の遊技機。
【請求項６】
前記蓋部材は、前記受容皿の底面よりも下方に配置されるとともに、前記球崩し部は、前記蓋部材の上面に設けられ、前記受容皿の底面からパチンコ球１個の半径以上突出する突起体からなることを特徴とする請求項１記載の遊技機。
【請求項７】
前記突起体は、パチンコ球１個の直径以上の幅を有していることを特徴とする請求項６記載の遊技機。
【請求項８】
前記突起体は、前記蓋部材が前記排出口を露呈する位置へ移動する際の移動方向の先端面の上端部にテーパ面を備えていることを特徴する請求項６又は７記載の遊技機。
【発明の詳細な説明】
【技術分野】
【０００１】
本発明は、パチンコ店等の遊技場に配設されるパチンコ機等の遊技機に関するものである。
【背景技術】
【０００２】
遊技場に設置される遊技機の一つとしてパチンコ機が挙げられる。このパチンコ機には、遊技媒体となるパチンコ球を受容する受容皿が設けられている。この受容皿には、パチンコ機内部に組み込まれた発射装置へとパチンコ球を導く通路が設けられており、受容皿に受容されたパチンコ球は、この通路を介して自動的に発射装置へと案内される。なお、発射装置へと案内されたパチンコ球は、遊技者による操作ハンドルの操作により作動する発射装置によって遊技領域の上方へと打ち出された後に、遊技領域に設けられた障害釘によって弾かれながら遊技領域内を流下していく。そして、遊技領域に設けられた入賞チャッカーや、始動チャッカー等に入賞した場合に、遊技者に対する賞球の払い出しが受容皿に行われる。
【０００３】
例えば始動チャッカーに入賞すると、「大当たり」状態へ移行するか否かの抽選が行われ、この抽選に当選すると「大当たり」状態へと移行するようになっている。この「大当たり」状態では、通常では閉じているアタッカが開き、所定個数のパチンコ球が入賞するか所定時間経過するかのいずれかの条件が満たされた場合に一旦閉じる動作を行うようになっている。「大当たり」状態では、アタッカは、上記動作を１回として予め設定された回数を上限として所定回数の動作が行われる。これにより、遊技領域を流下するパチンコ球がアタッカに入賞しやすくなるので、「大当たり」状態に移行すると、より多くの賞球としてのパチンコ球が受容皿に払い出される。このパチンコ球の払い出しによって受容皿にはパチンコ球で満杯になり、さらに払い出されるパチンコ球を受容皿では受容できなくなる状態となる。
【０００４】
この状態を回避する方法として、パチンコ球の受容皿には、通常シャッタ等の遮蔽部材によって遮蔽された球抜き孔が設けられており、この受容皿にパチンコ球が満杯になると、パチンコ機に設けられた操作ボタンをスライド操作、或いは押圧操作して、遮蔽部材による球抜き孔の遮蔽を解除し、受容皿に受容されているパチンコ球を外部に排出する。この受容皿に受容されているパチンコ球を外部に排出する際に、受容皿に受容された複数のパチンコ球がドーム状に保持されてしまう（所謂ブリッジ配列）場合があり、受容皿に受容されたパチンコ球を排出させることができないことがある。この問題を解決する方法として、例えば遮蔽部材に受容皿の底面から突出する板状の突部を複数設け、遮蔽部材の移動時に、受容皿に受容されたパチンコ球の配列関係を変化させることで、上述したブリッジ配列を解消することが提案されている（例えば、特許文献１等）。
【特許文献１】特開２００５−０９５４８８号公報
【発明の開示】
【発明が解決しようとする課題】
【０００５】
しかしながら、板状の突部を遮蔽部材に設けた場合、遮蔽部材の移動時に受容皿に受容されたパチンコ球に当接した後に該パチンコ球を移動させることができるので、パチンコ球の配列関係を変化させることができるとういう利点があるが、パチンコ球の配列において、板状の突部の移動軌跡上にパチンコ球とパチンコ球との当接箇所がある場合には、一旦パチンコ球同士の当接箇所を切り離すだけで、突部の通過後には、パチンコ球の配列関係が基の状態に戻ってしまう恐れがあり、突部の移動だけでは、必ずしもパチンコ球の配列関係を変化させているとは言い難い。
【０００６】
本発明は、上記従来技術の問題を解決するためになされたものであり、受容皿に受容されたパチンコ球によって生じるブリッジ配列を確実に解消することができるようにした遊技機を提供することを目的とする。
【課題を解決するための手段】
【０００７】
本発明の遊技機は、受容されたパチンコ球を排出する排出口が形成された受容皿と、前記排出口を塞ぐ位置と、前記排出口を露呈する位置との間で移動する蓋部材とを備え、前記蓋部材が前記排出口を露呈する位置にある場合に、受容されたパチンコ球が排出される遊技機において、前記蓋部材は、前記排出口を露呈する位置への移動時に、前記受容皿に受容されたパチンコ球を動かす球崩し部を備えており、前記球崩し部は、パチンコ球１個の半径以上の厚みを有していることを特徴とする。
【０００８】
この場合、前記蓋部材は、前記受容皿の底面の上方に配置され、前記球崩し部は、前記蓋部材が前記排出口を露呈する位置へと移動する際の移動方向の先端面からなることを特徴とする。
【０００９】
また、前記先端面の上端部には、前記移動方向に向けて下り傾斜するテーパ面が形成されていることを特徴とする。
【００１０】
また、前記蓋部材の上面には、前記受容皿に受容された遊技球を通過させる溝部が前記蓋部材の移動方向に沿って設けられ、前記溝部は、パチンコ球１個よりも広く、パチンコ球２個よりも狭い幅を有していることを特徴とする。
【００１１】
また、前記先端面は、前記蓋部材の幅方向の中心に向けて凹んだ湾曲面からなることを特徴とする。
【００１２】
また、他の形態として、前記蓋部材は、前記受容皿の底面よりも下方に配置されるとともに、前記球崩し部は、前記蓋部材の上面に設けられ、前記受容皿の底面からパチンコ球１個の半径以上突出する突起体からなることを特徴とする。
【００１３】
この場合、前記突起体は、パチンコ球１個の直径以上の幅を有していることを特徴とする。
【００１４】
また、前記突起体は、前記蓋部材が前記排出口を露呈する位置へ移動する際の移動方向の先端面の上端部にテーパ面を備えていることを特徴とする。
【発明の効果】
【００１５】
本発明の遊技機によれば、受容されたパチンコ球を排出する排出口が形成された受容皿と、前記排出口を塞ぐ位置と、前記排出口を露呈する位置との間で移動する蓋部材とを備え、前記蓋部材が前記排出口を露呈する位置にある場合に、受容されたパチンコ球が排出される遊技機において、前記蓋部材は、前記排出口を露呈する位置への移動時に、前記受容皿に受容されたパチンコ球を動かす球崩し部を備えており、前記球崩し部は、パチンコ球１個の半径以上の厚みを有しているから、前記パチンコ球を排出する際に、蓋部材とともに球崩し部が移動することになり、受容皿に受容されたパチンコ球の配列関係を確実に変化させることができる。これにより、受容皿に受容された複数のパチンコ球によって形成されたブリッジ配列を確実に解消させることができる。
【００１６】
この場合、前記蓋部材は、前記受容皿の底面の上方に配置され、前記球崩し部は、前記蓋部材が前記排出口を露呈する位置へと移動する際の移動方向の先端面からなるから、受容皿に受容された最下端のパチンコ球を球崩し部によって移動させることになるので、受容されたパチンコ球によって形成されたブリッジ配列を確実に解消させることができる。
【００１７】
また、前記先端面の上端部には、前記移動方向に向けて下り傾斜するテーパ面が形成されているから、パチンコ球の配列によって最下端よりも上部にあるパチンコ球が移動する蓋部材の上面に乗り上げることで、積み重なったパチンコ球を上方に押し上げることになり、結果的にパチンコ球の配列関係を変化させることができる。
【００１８】
また、前記蓋部材の上面には、前記受容皿に受容された遊技球を通過させる溝部が前記蓋部材の移動方向に沿って設けられ、前記溝部は、パチンコ球１個よりも広く、パチンコ球２個よりも狭い幅を有しているから、例えば、移動する蓋部材によって逃げ場の無くなったパチンコ球を収納させることで、例えば溝部の底面が開口に向けて傾斜している場合には、溝部に入り込んだパチンコ球を、開口に向けて転動させることができる。また、パチンコ球が受容皿に受容されていく過程で、この溝部内で詰まることを防止することができる。
【００１９】
この場合、前記先端面は、前記蓋部材の幅方向の中心に向けて凹んだ湾曲面から構成することで、先端面によって押圧されるパチンコ球を蓋部材の幅方向に中心に向けて移動させた後、溝部に案内することになるので、先端面に押圧されたパチンコ球の一部を排出口に向けて転動させることができる。
【００２０】
また、他の形態として、前記蓋部材は、前記受容皿の底面よりも下方に配置されるとともに、前記球崩し部は、前記蓋部材の上面に設けられ、前記受容皿の底面からパチンコ球１個の半径以上突出する突起体からなるから、受容皿に受容されたパチンコ球の配列関係を確実に変化させることができるので、払い出された複数のパチンコ球によって形成されたブリッジ配列を確実に解消させることができる。
【００２１】
この場合、前記突起体は、パチンコ球１個の直径以上の幅を有しているから、受容皿に受容された最下端のパチンコ球を確実に移動させることになるので、受容されたパチンコ球によって形成されたブリッジ配列を確実に解消させることができる。
【００２２】
また、前記突起体は、前記蓋部材が前記排出口を露呈する位置へ移動する際の移動方向の先端面の上端部にテーパ面を備えているから、パチンコ球の配列によって最下端よりも上部あるパチンコ球が、移動する蓋部材の上面に乗り上げることで、積み重なったパチンコ球を上方に押し上げることになり、結果的にパチンコ球の配列関係を変化させることができる。
【発明を実施するための最良の形態】
【００２３】
図１に、本発明を用いたパチンコ機の外観を示す。このパチンコ機２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に取り付けられるガラス等の透光性を有する部材により遮蔽される。なお、上部扉４が閉じている状態では、遊技の際に遊技領域６を流下する遊技球や、遊技領域６に設けられた構造物は、上記開口４ａを遮蔽するガラスを介して視認される。なお、符号８は、本体部材３を遊技場等に固定するための固定枠である。遊技領域６には、センター役物１０と呼ばれる構造物の他に、通過チャッカー１１、始動チャッカー１２、入賞チャッカー１３、アタッカ１４等の入賞装置が設けられている。なお、これら構造物や、入賞装置については周知であるので、ここではその詳細は省略する。
【００２４】
図２に示すように、下部扉５には、操作ハンドル２０、受容皿２１等が設けられている。操作ハンドル２０は、例えば回転自在に設けられており、操作ハンドル２０を回転させると、内部に設けられた回転ボリューム（図示せず）が回転し、その回転ボリュームの回転量に合わせた打ち出し強さでパチンコ球５０（図７参照）の打ち出しが行われる。
【００２５】
受容皿２１は、上皿２２と下皿２３の２枚の皿から構成されている。この受容皿２１のうち、上皿２１は、遊技を開始する際にパチンコ球５０が供給される他に、遊技領域６を流下するパチンコ球５０が、遊技領域６に設けられた入賞装置のいずれかに入賞したことを受けて払い出される賞球としてのパチンコ球５０が受容される。この上皿２２は、第１払出口２４から払い出されたパチンコ球５０を受容するために設けられている。この上皿２２は、第１払出口２４からのパチンコ球５０を図２中Ａ方向へ転動させた後、その転動方向を、図２中Ａ方向から図２中Ｂ方向へと変換させることで、パチンコ球５０を発射装置（図示せず）へと送り込む。この上皿２２には、送込通路２５が連通されており、パチンコ球５０は、この送込通路２５の内部を案内される過程で１列に整列される。なお、符号２６は仕切り板であり、第１払出口２４から払い出されたパチンコ球５０が直接送込通路２５へと転動することを防止している。
【００２６】
下皿２３は、上皿２２がパチンコ球５０で満杯となった場合に、それ以降に払い出されるパチンコ球５０を受容するために設けられている。なお、この下皿２３には、第２払出口２７を介してパチンコ球５０が払い出される。この下皿２３には、受容されるパチンコ球５０を外部に排出するための開口（排出口）２８が設けられている（図４参照）。この開口２８は、通常、後述するスライド蓋４０によって遮蔽されて、開口２８が露呈されることで、複数のパチンコ球５０を同時に排出させることができる。
【００２７】
この下皿２３の前面には、下皿２３に受容されたパチンコ球５０を排出する際に操作される排出操作ボタン３５が設けられている。この排出操作ボタン３５は、図３中に示す位置に保持されており、例えば図３中Ｄ方向にスライドさせることによって、図４に示す位置まで移動可能となる。この図４に示す位置まで排出操作ボタン３５を操作すると、下皿２３の開口２８が露呈され、下皿２３に受容されたパチンコ球５０を排出することが可能となる。詳細は後述するが、この排出操作ボタン３５から手或いは指を離すと、後述するバネ５２によって、図４中Ｅ方向に移動するようになっている。なお、符号３６はガイド孔であって、排出操作ボタン３５のスライド方向を規制するために設けられている。
【００２８】
図５に示すように、スライド蓋（蓋部材）４０は、略Ｌ字状から構成されている。このスライド蓋４０は、開口２８を遮蔽する蓋部４１と、操作ボタン３５が設けられた操作部４２と、蓋部４１と操作部４２とを連結する連結部４３とから構成されている。
【００２９】
図５、或いは図６に示すように、蓋部４１は、略コ字状から構成されている。この蓋部４１の上部に配置される第１遮蔽板４５は、下皿２３の底板２３ａの上方に配置される（図８参照）。この第１遮蔽板４５の幅Ｓは、開口２８の幅と略同一となるように形成されている。この第１遮蔽板４５の先端となる側面４５ａは、下皿２３に受容されるパチンコ球５０を押圧する。以下では、側面４５ａを押圧面（球崩し部）４５ａと称して説明する。この押圧面４５ａの厚みＴは、１個のパチンコ球５０の半径ｒ以上の厚みとなっている。なお、押圧面４５ａの厚みＴは、１個のパチンコ球５０の半径ｒ以上、２個のパチンコ球の直径２ｒ以下となることがより好ましい。この第１遮蔽板４５の押圧面４５ａと上面４５ｂとの間には、テーパ面４５ｃが形成されている。このテーパ面４５ｃは、スライド蓋４０が移動した際に、下皿２３の底面２３ａに接していないパチンコ球５０を第１遮蔽板４５の上面４５ｂに乗り上げさせ易くするために設けられている。
【００３０】
第２遮蔽板４６は、第１遮蔽板４５の下方に、且つ所定の間隔Ｕを空けて配置されている。この第２遮蔽板４６は、スライド蓋４０を移動させる際の移動方向を規制するために設けられている。なお、所定間隔とは、下皿２３の底板２３ａの厚みＶ以上の間隔である。この第１遮蔽板４５と、第２遮蔽板４６との間に設けられる溝部４７には、下皿２３の底板２３ａが挿入される。
【００３１】
次に、本実施形態の作用について説明する。遊技者がパチンコ機２で遊技を行う際に、上皿２２にパチンコ球５０を供給し、操作ハンドル２０を操作すると、パチンコ球５０の打ち出しが開始される。打ち出されたパチンコ球５０は、遊技領域６の上方から遊技領域６内を流下する。この流下の際に、遊技領域６に設けられた障害釘や、風車等によって弾かれる、或いはセンター役物１０の側壁面に当接することによって、その流下方向を変化させながら、遊技領域６内を落下していく。この遊技領域６を流下する際に、入賞装置に入賞すると、図示しない払い出し装置が駆動して、入賞に対するパチンコ球５０の払い出しが行われる。この入賞装置への入賞のうち、始動チャッカー１２に入賞すると、大当たり状態に移行するか否かの抽選が行われる。この抽選に合わせて図柄表示装置５１において、例えば図柄の変動表示、或いは告知表示が行われた後、抽選結果を示す表示が行われる。
【００３２】
例えば抽選結果が当たりとなる場合には、図柄表示装置５１には、例えば「７−７−７」のように、同一の図柄が３個停止表示される。この表示が行われると、遊技状態が通常状態から、「大当たり」状態へと移行する。「大当たり」状態になると、アタッカ１４が開放され、このアタッカ１４の奥に設けられた大入賞口（図示せず）への入賞が可能となる。この大入賞口に例えば１０個のパチンコ球５０が入賞するか、アタッカ１４が開放されてから例えば３０秒経過するかのいずれかの条件が満たされると、一旦アタッカ１４が閉じる。この動作を１ラウンドとし、１ラウンド中に１０個のパチンコ球５０が入賞すると、再度アタッカ１４が開放される。「大当たり」状態では、上述した１ラウンドを最大１５回行われた後、「大当たり」状態が終了する。
【００３３】
「大当たり」状態では、アタッカ１４が開放されることによって入賞を得やすくなるから、「大当たり」状態では、入賞によって多くのパチンコ球５０が払い出されることになる。なお、入賞によって払い出されるパチンコ球５０は、上皿２２に向けて払い出されることになるが、「大当たり」状態における遊技では、通常状態よりも多くのパチンコ球５０が払い出され、また、打ち出されるパチンコ球５０よりも払い出されるパチンコ球５０の数が多いので、上皿２２が払い出されるパチンコ球５０で満杯になる。上皿２２がパチンコ球５０で満杯になると、払い出されるパチンコ球５０は、下皿２３に向けて払い出されることになる。この間も遊技が行われているから、さらに入賞に基づいたパチンコ球５０の払い出しが行われている。これにより、下皿２３にも払い出されたパチンコ球５０で満杯になる。
【００３４】
払い出されたパチンコ球５０で下皿２３も満杯になると、遊技者は、下皿２３に受容されたパチンコ球５０を、例えばパチンコ店に設置されている収納箱に排出する必要がある。遊技者は、収納箱を下皿２３の下方に載置し、排出操作ボタン３５を図７中Ｆ方向にスライドさせる。この排出操作ボタン３５は、スライド蓋４０に一体に設けられているので、排出操作ボタン３５を操作すると、スライド蓋４０が図８中Ｇ方向にスライドすることになる。このスライド蓋４０のスライドの際に、第１遮蔽板４５は、下皿２３の底板２３ａの上面２３ｂに沿って移動することになる。
【００３５】
上述したように、第１遮蔽板４５の押圧面４５ａの高さＴはパチンコ球５０の半径ｒ以上の幅を有しているので、スライド蓋の図８中Ｇ方向への移動時に、下皿２３に受容されている最下端のパチンコ球５０が確実に押圧されていく。また、パチンコ球５０の配列によっては、最下端のパチンコ球５０の上方に積層されているパチンコ球５０があるので、第１遮蔽板４５のテーパ面４５ｃを介して第１遮蔽板４５の上面４５ｂに乗り上げることになる。これにより、例えば複数のパチンコ球５０によってブリッジ配列が形成されていたとしても、スライド蓋４０のスライドによって下皿２３に受容されたパチンコ球５０の配列関係を確実に変化させることで、ブリッジ配列を解消することが可能となる。なお、符号５６は、スライド蓋４０のスライド時のガタを防止するための保持板である。
【００３６】
そして、図９に示すように、排出操作ボタン３５のスライド操作によってスライド蓋４０の蓋部４１の溝４７の底面４７ａと、開口２８の側壁面２８ａとが当接されると、スライド蓋４０のスライドが停止される。このとき、開口２８が露呈されることになるので、下皿２３に受容されたパチンコ球５０が開口２８を介して収納箱に排出されていく。そして、下皿２３に受容されたパチンコ球５０の大半が収納箱に排出されると、遊技者は排出操作ボタン３５から手或いは指を離すことになる。スライド蓋４０には、図１０中Ｇ方向に付勢するバネ５２の一端が接続されており、このバネ５２の復帰力によってスライド蓋４０が図１０中Ｈ方向に移動し、スライド蓋４０の側壁面４０ａに開口２８の側壁面２８ｂが当接すると、開口２８が遮蔽される（図８参照）。
【００３７】
本実施形態では、第１遮蔽板４５の押圧面４５ａと上面４５ｂとの関係については記載していないが、押圧面４５ａと第１遮蔽板４５の上面４５ｂとを直交させる、或いは、押圧面４５ａをテーパ面４５ｂよりも緩やかに傾斜する傾斜面から構成することも可能である。詳細は図示しないが、例えば押圧面４５ａを、テーパ面４５ｃよりも緩やかに傾斜する傾斜面から構成した場合には、押圧面４５ａによって押圧されたパチンコ球をテーパ面４５ｃに向けて容易に押し上げることができるので、パチンコ球を第１遮蔽板の上面に乗り上げさせやすくなる。
【００３８】
本実施形態では、下皿について説明したが、これに限定する必要はなく、例えば、上皿に本実施形態を用いることができる。また、上皿と下皿との２枚の受容皿を備えたパチンコ機だけでなく、１枚の受容皿を有するパチンコ機においても本実施形態を用いることができる。
【００３９】
本実施形態では、第１遮蔽板４５を板状から構成したが、これに限定する必要はなく、第１遮蔽板の上面に、スライド蓋のスライド方向に沿った溝を設け、この溝に入り込んだパチンコ球を開口に向けて転動させる事も可能である。図１１に示すように、第１遮蔽板６１の上面に、スライド蓋６０のスライド方向に沿った溝６２を設ける。この場合、例えば上述した溝６２の幅Ｘをパチンコ球１個の直径Ｙよりも広く、遊技球２個の直径２Ｙよりも狭い幅とすることで、この溝６２内におけるパチンコ球６３の詰まりを防止し、スライド蓋６０の図１１中Ｍ方向へのスライド時に、パチンコ球６３を開口６４に向けて（図１１中Ｎ方向に向けて）転動させることができる。さらに、溝部６２の底面６２ａを、開口６４に向けて下り傾斜した傾斜面とすることで、スライド蓋６０のスライド時に溝部６２に入り込んだパチンコ球６３を、確実に開口６４に向けて転動させることができる。
【００４０】
また、この場合、例えば第１遮蔽板６１の先端面６１ａ、６１ｂを、第１遮蔽板６１の幅方向の中心に向けて凹んだ湾曲面とすることが考えられる。この場合、第１遮蔽板６１の先端面６１ａ，６１ｂによって押圧されるパチンコ球を、溝部６２に向けて誘導することができるので、押圧されたパチンコ球を開口に向けて転動させることができる。
【００４１】
本実施形態では、スライド蓋４０の蓋部４１の形状を略コ字とし、また、蓋部４１の第１遮蔽板４５を受容皿の底板の上方に配置したが、これに限定する必要はなく、例えば蓋部を下皿の底板の下方に配置し、蓋部の上面に設けられた突起体を下皿の底板の上方に突出させることも可能である。この場合、図１２に示すように、スライド蓋７０の蓋部７１の上面７１ａに突起体７２を設ける。この突起体７２のスライド方向の先端面（以下、押圧面）７２ａの高さＰを、下皿７３の底板７３ａからパチンコ球７７の半径ｒよりも高く突出させる。また、この突起体の幅Ｑは、パチンコ球７７の直径Ｙよりも広い幅から構成する。なお、この突起体７２の形状は、図１２に限定されるものではなく、押圧面７２ａの高さＰ、押圧面７２ａの幅Ｑが、それぞれパチンコ球７７の半径ｒよりも広く形成されていればよいものとする。
【００４２】
このスライド蓋７０の蓋部７１は、突起体７２よりも大きく形成されており、スライド蓋７０が閉じ位置にある場合に、下皿７３の開口７５と、この開口７５に連なって設けられた切り欠き部７６を遮蔽し、切り欠き部７６に入り込むパチンコ球７７の落下を防止する。この場合も、スライド蓋７０が図１２中Ｋ方向にスライドした場合、突起体７２の押圧面７２ａによって下皿７３に貯留されたパチンコ球７７が押圧され、パチンコ球７７の配列関係が変化するので、下皿７３に貯留されたパチンコ球７７がブリッジ配列となっている場合でも、確実にブリッジ配列を解消させることができる。また、突起体７２の上面７２ｂと押圧面７２ａとの間にテーパ面７２ｃを設けることで、下皿７３に貯留されたパチンコ球７７が最下点に無い場合には、該パチンコ球７７を突起体７２の上面７２ｂに乗り上げさせることで、パチンコ球７７の配列関係を変化させることができる。
【図面の簡単な説明】
【００４３】
【図１】本発明のスロットマシンを示す斜視図である。
【図２】下扉の構成を示す斜視図である。
【図３】開口が遮蔽されているときの排出操作ボタンの位置を示す斜視図である。
【図４】開口が露呈されているときの排出操作ボタンの位置を示す斜視図である。
【図５】スライド蓋の構成を示す斜視図である。
【図６】蓋部の構成を示す断面図である。
【図７】下皿にパチンコ球が満たされた場合を示す正面図である。
【図８】下皿にパチンコ球が満たされた場合を示す断面図である。
【図９】下皿に貯留されたパチンコ球を排出する場合を示す断面図である。
【図１０】下皿に貯留されたパチンコ球を排出する場合を示す正面図である。
【図１１】第１遮蔽板の他の実施形態の構成を示す斜視図である。
【図１２】スライド蓋の他の実施形態を示す斜視図である。
【符号の説明】
【００４４】
２  スロットマシン
５  下部扉
２１  受容皿
２３  下皿
２８  開口（排出口）
３５  排出操作ボタン
４０、６０  スライド蓋（蓋部材）
４５、６１  第１遮蔽板
４５ａ、６１ａ、６１ｂ  押圧面（球崩し部）
４５ｃ  テーパ面
５５  パチンコ球
６２  溝
７２  突起体（球崩し部）
【図１】
2007143714.tif 000003
【図２】
2007143714.tif 000004
【図３】
2007143714.tif 000005
【図４】
2007143714.tif 000006
【図５】
2007143714.tif 000007
【図６】
2007143714.tif 000008
【図７】
2007143714.tif 000009
【図８】
2007143714.tif 000010
【図９】
2007143714.tif 000011
【図１０】
2007143714.tif 000012
【図１１】
2007143714.tif 000013
【図１２】
2007143714.tif 000014